(57)【特許請求の範囲】
【請求項１】
外箱と中箱が別体で設けられ、
前記外箱は、四角筒状に組み立てられ、筒体の下方の開口端部は底部で閉鎖され、前記筒体の上方の開口端部には開口端部を閉鎖する上蓋片が設けられ、
前記中箱は内箱形成片を組み立てて作られ、収容物を囲む側面と底面が設けられて上方が開口する有底筒体であり、前記中箱の前記側面の上方の端部には、中央部分が前記側面の中心側にくぼむくぼみが形成され、前記くぼみの底部には摘み部が一体に設けられ、前記摘み部は、前記くぼみから外側に突出して前記側面の前記端部から所定の長さに突出して形成され、
前記中箱は前記外箱の中に入れられ、前記くぼみは前記外箱の上方の前記開口端部から下方側に位置し、前記摘み部の一部は前記外箱の上方の前記開口端部の外側に突出し、前記外箱の前記上蓋片が閉じられると、前記摘み部は、前記上蓋片により曲がり、前記上蓋片の裏面側に重ねられて収納されることを特徴とする中箱付き包装用箱。
【請求項２】
前記内箱形成片は、透明な合成樹脂で作られている請求項１記載の中箱付き包装用箱。
【請求項３】
前記中箱は、互いに連接された４つの側面と、組立状態で連接された側面で形成される一開口端部を閉鎖する上底片が設けられ、前記上底片の両端部には前記側面の端部から所定高さに位置する立ち上がり片が設けられ、前記一方の立ち上がり片は前記側面の１つに連接して設けられている請求項１記載の中箱付き包装用箱。
【請求項４】
前記中箱は、互いに連接された４つの側面と、組立状態で連接された側面で形成される一開口端部を閉鎖する上底片が設けられ、前記上底片の両端部は、対面する一対の側面の端部に連接して設けられ、前記上底片が設けられた前記側面に交差する一対の側面には、前記上底片よりも下方に突出する脚片が設けられている請求項１記載の中箱付き包装用箱。
【請求項５】
前記中箱には、内側の収容物に向かって湾曲する保持片が設けられ、前記保持片には、前記収容物が嵌合される打ち抜き部が設けられている請求項１記載の中箱付き包装用箱。
【発明の詳細な説明】
【技術分野】
【０００１】
この発明は、外箱と、外箱の中に入れられて収容物を保持する中箱が設けられた中箱付き包装用箱に関する。
【背景技術】
【０００２】
従来、ブランクシートから一体的に打ち抜かれた箱体形成片を折り曲げて糊付けして形成する包装用箱に、箱体の内側にガラス瓶等の衝撃に弱い収容物を保持するための緩衝用の仕切り片が設けられているものがある。例えば特許文献１の包装用箱の場合、箱体の組立状態で底部分から立ち上がる立上片と、立上片に連続する上面片と、上面片に連続する側面に糊付けされる仕切り用糊付片が、互いに折罫線で区切られて設けられている。立上片と上面片の間の折罫線上には、収容物が嵌合される打ち抜き部が形成されている。
【先行技術文献】
【特許文献】
【０００３】
【特許文献１】特開２０１０−２０８６４６号公報
【発明の概要】
【発明が解決しようとする課題】
【０００４】
上記背景技術の場合、箱体と仕切り片が一体となっているものであり、仕切り片を箱体から取り出すものではない。一方、抗がん剤等の薬液の包装について、薬剤の暴露を防ぎ、薬剤を扱う作業者の安全面を考慮した包装材が考えられている。例えば、薬剤を入れたバイアルを収容する樹脂製の成形品を設け、成形品とともにバイアルを箱体に収容し包装し、薬剤を使用する時は、バイアルに直接触れずに成形品を保持して箱体から取り出すものである。取り出した後は、成形品が作業台の上に自立し、バイアルを立たせておき、成形品を保持しながらバイアルの中の薬液を注射器に移す作業をすることができる。これにより、作業者に薬剤が付くことを防ぎ、安全性を高めることができる。しかし、成形品では金型代がかかるという問題がある。従って、暴露をできるだけ防いで安全性を高め、コストも抑えることができる包装形態が求められている。
【０００５】
この発明は、上記背景技術の問題点に鑑みてなされたものであり、外箱と中箱が別体であり、中箱は内箱形成片を組み立てて作られ、簡単な構造であり、確実に収容物を保護し、収容物を覆った状態で外箱から収容物とともに取り出して使用することができる中箱付き包装用箱を提供することを目的とする。
【課題を解決するための手段】
【０００６】
本発明は、外箱と中箱が別体で設けられた中箱付き包装用箱であり、前記外箱は、四角筒状に組み立てられ、筒体の下方の開口端部は底部で閉鎖され、前記筒体の上方の開口端部は開口端部を閉鎖する上蓋片が設けられている。前記中箱は内箱形成片を組み立てて作られ、収容物を囲む側面と底面が設けられて上方が開口する有底筒体であり、前記中箱の前記側面の上方の端部には、中央部分が前記側面の中心側にくぼむくぼみが形成され、前記くぼみの底部には摘み部が一体に設けられ、前記摘み部は、前記くぼみから外側に突出して前記側面の前記端部から所定の長さに突出して形成されている。前記中箱は前記外箱の中に入れられ、前記くぼみは前記外箱の上方の前記開口端部から下方側に位置し、前記摘み部の一部は前記外箱の上方の前記開口端部の外側に突出し、前記外箱の前記上蓋片が閉じられると、前記摘み部は、前記上蓋片により曲がり、前記上蓋片の裏面側に重ねられて収納される。
【０００７】
前記内箱形成片は、例えばＰＰ等の透明な合成樹脂で作られている。
【０００８】
前記中箱は、互いに連接された４つの側面と、組立状態で連接された側面で形成される一開口端部を閉鎖する上底片が設けられ、前記上底片の両端部には前記側面の端部から所定高さに位置する立ち上がり片が設けられ、前記一方の立ち上がり片は前記側面の１つに連接して設けられている。
【０００９】
前記中箱は、互いに連接された４つの側面と、組立状態で連接された側面で形成される一開口端部を閉鎖する上底片が設けられ、前記上底片の両端部は、対面する一対の側面の端部に連接して設けられ、前記上底片が設けられた前記側面に交差する一対の側面には、前記上底片よりも下方に突出する脚片が設けられている。
【００１０】
前記中箱には、内側の収容物に向かって湾曲する保持片が設けられ、前記保持片には、前記収容物が嵌合される打ち抜き部が設けられている。
【発明の効果】
【００１１】
本発明の中箱付き包装用箱は、外箱と中箱が別体であり、中箱は内箱形成片を組み立てて作られ、簡単な構造であり、収容物を覆った状態で外箱から収容物とともに取り出すことができる。取り出した後も、中箱を保持して収容物を扱うことが可能である。このため、作業者が収容物に接触することなく、収容物が、身体に接触すると影響を与えるような薬液が入れられたバイアル等でも比較的安全に操作することができる。また、中箱は緩衝機能を有し、確実に収容物を保護して収容物の破損を防ぎ、高価な薬液が入れられたバイアル等を安全に輸送し保管することができる。
【図面の簡単な説明】
【００１２】
【図１】この発明の第一実施形態の中箱付き包装用箱の斜視図である。
【図２】この発明の第一実施形態の中箱付き包装用箱の包装する工程を示す斜視図である。
【図３】この発明の第一実施形態の中箱付き包装用箱の中箱の縦断面図である。
【図４】この発明の第一実施形態の中箱付き包装用箱の中箱の展開図である。
【図５】この発明の第二実施形態の中箱付き包装用箱の中箱の縦断面図である。
【図６】この発明の第二実施形態の中箱付き包装用箱の中箱の展開図である。
【発明を実施するための形態】
【００１３】
以下、この発明の実施形態について図面に基づいて説明する。図１〜図４はこの発明の第一実施形態を示すもので、この実施形態の中箱付き包装用箱１０は、厚紙等の一枚のブランクシートを打ち抜いて形成された外箱形成片を組み立てて作られた外箱１２と、外箱１２の中に入れられて収容物１１を保持する中箱１４が設けられている。
【００１４】
ここで、中箱１４について説明する。中箱１４は、適度な柔軟性を有する透明な合成樹脂シートを打ち抜いて形成された内箱形成片１６を組み立てて形成されている。合成樹脂シートは、例えばＰＰである。図４は、内箱形成片１６を表面から見た展開図であり、内箱形成片１６は、側面１８，２０，２２，２４が互いに平行に連接して形成されている。側面１８，２０，２２，２４は、連接方向の長さは側面１８，２２がやや長くて互いにほぼ等しく、側面２０，２４はやや短くて互いにほぼ等しい。側面１８の側縁部には、中箱１４の組立状態で側面２４の表面に糊付けされる糊付片２６が設けられている。糊付片２６の連接方向の長さは側面２０，２４とほぼ同じである。糊付片２６、側面１８，２０，２２，２４は、各々折罫線２８，３０，３２，３４で区切られている。
【００１５】
側面１８において、側面同士の連接方向に対して直角な方向の一端部には、矩形の保持片３６が折罫線３８で区切られて設けられている。保持片３６は、折罫線３８に対して平行方向の長さは側面１８より僅かに短く、折罫線３８に対して直角方向の長さは側面１８より少し短い。折罫線３８の両端部は、側面１８及び保持片３６の角部で各々面取りされている。保持片３６には、収容物１１の側面が嵌合される打ち抜き部４０が設けられている。打ち抜き部４０は、保持片３６の中心よりもわずかに折罫線３８に近づいた位置に設けられ、折罫線３８に対して直角方向に長い卵形に形成され、折罫線３８に近い端部の円弧よりも反対側の円弧の方が、直径が小さいものである。
【００１６】
保持片３６の、折罫線３８と反対側の端部には、矩形の重ね片４２が折罫線４４で区切られて設けられている。折罫線４４は３本の切断線が切り残し部を介して並んで設けられ、中央に位置する切断線は、保持片３６へ向かって膨出する略コの字形であり、その内側の部分は、内箱形成片１６を組み立てた時に重ね片４２の側方に突出する小さい突起４６となる。他の２本の切断線は、折罫線３８に対して平行な直線である。重ね片４２の、折罫線４４と反対側の端部４２ａの中心には、突起４６と同じ形状の突起４８が、側方に突出して設けられている。
【００１７】
重ね片４２の、折罫線４４に対して直角に位置し側面１８の折罫線２８の延長線上に位置する側縁部には、小さい矩形の係止片５０が折罫線５２で区切られて設けられている。重ね片４２は、折罫線４４に対して平行方向の長さは保持片３６より僅かに短く、折罫線４４に対して直角方向の長さは、内箱形成片１６の組立状態で開口部を閉鎖する大きさよりもわずかに小さく、突起４６，４８の先端同士の長さは開口部の長さとほぼ同じである。係止片５０の、折罫線４４の延長線上に位置する端部は、折罫線５２から離れるにつれて折罫線４４の延長線から離れるように傾斜している。
【００１８】
側面１８の、折罫線３８と反対側の端部には、立ち上がり片５４、上底片５６、立ち上がり片５８が、折罫線６０，６２，６４で各々区切られて、側面１８に近い方から順に連接して設けられている。立ち上がり片５４、上底片５６、立ち上がり片５８は、折罫線６０に対して平行方向の長さは側面１８よりもわずかに小さく、互いに同じであり、折罫線６０に対して直角方向の長さは、立ち上がり片５４，５８が短くて互いにほぼ等しく、上底片５６は長く内箱形成片１６の組立状態で開口部を閉鎖する大きさの矩形に形成されている。
【００１９】
側面２０の、側面１８の折罫線３８に隣接する端部２０ａは、中央部分が側面２０の中心側にくぼむ矩形のくぼみ２１が形成され、くぼみ２１の底部には摘み部６６が一体に設けられている。摘み部６６は、くぼみ２１から外側に突出して形成され端部２０ａから所定の長さに突出する楕円形状である。
【００２０】
側面２０の、端部２０ａと反対側の端部には、矩形のフラップ６８が折罫線７０で区切られて設けられている。フラップ６８は、折罫線７０に対して平行方向の長さは側面２０より僅かに短く、折罫線７０に対して直角方向の長さは上底片５６の長さよりも少し短いものであり、折罫線３０の延長線上に位置する側縁部が僅かに切り欠かれて細くなっている。
【００２１】
側面２２において、側面２０の端部２０ａに隣接する端部には、保持片３６と同じ形状の保持片７２が折罫線７４で区切られて設けられている。保持片７２には、打ち抜き部４０と同じ形状の打ち抜き部７６が設けられている。
【００２２】
保持片７２の、折罫線７４と反対側の端部には、重ね片４２と同じ形状の重ね片７８が折罫線４４と同じ形状の折罫線８０で区切られて設けられている。折罫線８０は３本の切断線が切り残し部を介して並んで設けられ、中央に位置する切断線は、保持片７２へ向かって膨出する略コの字形であり、その内側の部分は、内箱形成片１６を組み立てた時に重ね片７８の側方に突出する小さい突起８２となる。他の２本の切断線は、折罫線７４に対して平行な直線である。
【００２３】
重ね片７８の、折罫線８０と反対側の端７８ａの中心には、突起８２と同じ形状の突起８４が設けられている。重ね片７８の、側面２２の折罫線３２の延長線上に位置する側縁部には、係止片５０と同じ形状の係止片８６が折罫線８８で区切られて設けられている。
【００２４】
側面２２の、折罫線７４と反対側の端部には、矩形の底蓋片９０が折罫線９２で区切られて設けられている。底蓋片９０は、内箱形成片１６の組立状態で開口部を閉鎖する大きさの矩形に形成されている。底蓋片９０の、折罫線９２と反対側の端部には、差込片９４が折罫線９６で区切られて設けられている。差込片９４の、折罫線９６から反対側の端部までの長さは、立ち上がり片５４の長さより僅かに短く形成されている。
【００２５】
側面２４において、側面２２の折罫線７４に隣接する端部２４ａには、折罫線３４から少し離れた部分からくぼみ２１と同じ高さのくぼみ２５が形成され、くぼみ２５は折罫線３４とは反対側の側縁部に連通されている。側面２４の、端部２４ａと反対側の端部には、フラップ６８と同じ形状のフラップ９８が折罫線１００で区切られて設けられている。
【００２６】
糊付片２６は、側面２４とほぼ同じ形状の線対称形状であり、側面１８の折罫線３８に隣接する端部２６ａには、折罫線２８から少し離れた部分からくぼみ２７が形成され、くぼみ２７は折罫線２８とは反対側の側縁部に連通されている。糊付片２６の、端部２６ａと反対側の端部には、他部材は設けられていない。
【００２７】
次に、この実施形態の中箱１４の組立方法の一例について説明する。なお、ここでは図４が中箱１４の内箱形成片１６の表面を見たものであり、内箱形成片１６の表面が凸になる折り方を正折り、そして裏面が凸になる折り方を逆折りと称する。
【００２８】
まず、折罫線３４を正折りし、次に糊付片２６の裏面に糊１０２を塗布し、折罫線３０を正折りする。これにより、側面２４は糊１０２により糊付片２６の裏面に糊付けされ、折り畳み状態となり、中箱１４はこの折り畳み状態で出荷される。
【００２９】
次に、収容物１１を収容し包装する工場等において、折罫線２８，３０，３２，３４を各々９０°に正折りし、四角形の筒体にする。次に、筒体の一方の端部で、折罫線６０を１８０°に正折りし、折罫線６２を９０°に逆折りし、折罫線６４も９０°に逆折りして、立ち上がり片５４、上底片５６、立ち上がり片５８を、互いにコの字形に折り曲げる。立ち上がり片５４を側面１８の裏面に重ね、立ち上がり片５８を側面２２の裏面に重ねると、上底片５６は筒体の挿通方向に交差し、中箱１４の底部に位置する折罫線６０よりも、立ち上がり片５４，５８の高さだけ移動した内底の底面となり、四角筒を閉鎖する。
【００３０】
次に、折罫線７０，１００でフラップ６８，９８を正折りし、その後、折罫線９２で底蓋片９０を正折りし、さらに折罫線９６を正折りして差込片９４を側面１８の内側に差し込み閉鎖する。側面１８の裏面には立ち上がり片５４が重ねられており、差込片９４は立ち上がり片５４の表面に重ねられる。差込片９４は立ち上がり片５８よりもわずかに短く形成され、上底片５６に当接することがなく、差し込まれる。これにより底部が形成される。
【００３１】
そして、側面１８の折罫線３８を正折りして保持片３６を筒体の中に折り込み、折罫線４４，５２を逆折りして重ね片４２を上底片５６に重ねてセットする。係止片５０は側面２４の裏面に当接し、底蓋片９０とは反対側に突出し、折罫線５２が元に戻ろうとする弾性力で押し付けられて、移動することがなく係止される。また、重ね片４２の突起４６が側面１８の裏面に、突起４８が側面２２の裏面に各々当接し、摩擦力で保持され移動することなく、この方向も係止される。保持片３６の長さは、側面１８の折罫線３８と上底片５６の折罫線６２が位置した部分との間隔より長く、重ね片４２を上底片５６に重ねた状態で撓み、側面１８から離れて筒体の内側に向かって湾曲する。
【００３２】
また、側面２２の折罫線７４も同様に、正折りして保持片７２を筒体の中に折り込み、折罫線８０，８８を逆折りして重ね片７８を上底片５６に重ねられた重ね片４２に、さらに重ねてセットする。係止片８６は側面２０の裏面に当接し、折罫線８８が元に戻ろうとする弾性力で押し付けられて、移動することがなく係止される。また、重ね片７８の突起８２が側面２２の裏面に、突起８４が側面１８の裏面に各々当接し、摩擦力で移動することなく、この方向も係止される。保持片７２の長さは、側面２２の折罫線７４と上底片５６の折罫線６４が位置した部分との間隔より長く、重ね片７８を上底片５６に重ねた状態で撓み、側面２２から離れて筒体の内側に向かって湾曲する。これにより図３に示すように組み立てが完了する。
【００３３】
次に、組み立てられた中箱１４に、収容物１１を入れる。収容物１１は、例えば液体の薬剤が入れられたバイアルである。保持片３６，７２は、収容物１１の側面に押されて弾性変形し、収容物１１を両側から付勢して挟持する。保持片３６，７２の打ち抜き部４０，７６に収容物１１の側面の一部が嵌合され、がたつきを防ぐ。収容物１１の底部は、内底である上底片５６に保持されて緩衝的に収容される。摘み部６６は、収容物１１の側方に位置し収容物１１の高さよりも上方に突出する。
【００３４】
収容物１１を入れた中箱１４は、外箱１２に入れて包装する。ここで、外箱１２について説明する。外箱１２は、図１，２に示すように、４つの側面１０４，１０６，１０８，１１０が互いに平行に連接されて設けられ、四角筒状に組み立てられている。筒体の下方の開口端部は任意の構造の底部１１２で閉鎖され、箱体として保形性を維持している。側面１０４の上方の端部には、開口端部を閉鎖する上蓋片１１４が折罫線１１６で区切られて設けられ、上蓋片１１４の、折罫線１１６と反対側の端部には、差込片１１８が折罫線１２０で区切られて設けられている。側面１０６，１１０の上方の端部には、矩形のフラップ１２２，１２４が折罫線１２６，１２８で各々区切られて設けられている。外箱１２は、中箱１４を中に入れた時に収容物１１の取扱説明書を収容する空隙１３０を有する大きさに設けられている。
【００３５】
図１に示すように、側面１０４，１０６，１０８，１１０と底部１１２を組み立てた外箱１２に中に、収容物１１を保持した中箱１４を入れる。この時、中箱１４の側面２４が、外箱１２の側面１０６に対面するように入れる。すると、中箱１４は、外箱１２の側面１１０との間に空隙１３０ができ、空隙１３０に取扱説明書等を入れる。なお、中箱１４の摘み部６６は、外箱１２の開口端部の外側に突出する。
【００３６】
次に、折罫線１２６，１２８でフラップ１２２，１２４を正折りし、その後折罫線１１６で上蓋片１１４を正折りし、さらに折罫線１２０を正折りして差込片１１８を側面１０８の内側に差し込み、閉鎖して中箱付き包装用箱１０の包装が完了する。外箱１２の開口端部から突出していた摘み部６６は、フラップ１２４と上蓋片１１４に押されて曲がり、フラップ１２４の裏面に重ねられて収納される。摘み部６６は、側面２０のくぼみ２１に設けられ、くぼみ２１は外箱１２のフラップ１２４の折罫線１２８から下方に離れているため、摘み部６６は基端部に折れ目が付くことがなく、緩やかに湾曲されて収納される。さらに、くぼみ２１に設けられているため、摘み部６６は長く形成され、また楕円形であるため基端部付近が細く、容易に曲がる。中箱１４の上底片５６は、外箱１２の底部１１２から離れて設けられ、さらに保持片３６，７２は側面１８，２２から離れて収容物１１に密着しているため、収容物１１は、中箱１４に緩衝的に保持され、外箱１２に安全に収容される。
【００３７】
中箱付き包装用箱１０に収容された収容物１１の薬剤を使用するときは、外箱１２の上蓋片１１４を開く。上蓋片１１４を開くと、上蓋片１１４に押さえられて曲げられていた中箱１４の摘み部６６が開口端部から上方に突出する。この状態で、摘み部６６を保持して上方に引き上げ、収容物１１に触れずに、外箱１２から取り出して、机や作業台等、任意の場所に置く。中箱１４は、自立し、倒れることがない。そして収容物１１に入れられた薬剤を注射器等に注入する作業を、摘み部６６や側面１８，２０，２２，２４を保持しながら行い、収容物１１に触れずに薬液を注射器等に移して使用する。中箱１４は透明な合成樹脂シートで作られているため、収容物１１に貼られている商品名等を記載したラベルを視認することができ、薬液を確認して作業を行う。
【００３８】
この実施形態の中箱付き包装用箱１０によれば、外箱１２と中箱１４が別体であり、中箱１４はブランクシートを打ち抜いて形成した内箱形成片１６を組み立てて作られ、簡単な構造であり、確実に収容物１１を保護し、また収容物１１を覆った状態で外箱１２から収容物１１とともに取り出して使用することができる。このため、作業者が収容物１１に接触することなく中箱１４を保持して収容物１１を扱うことが可能であり、身体に接触すると影響を与えるような薬液が入れられたバイアル等を、安全に操作することができる。また、中箱１４は緩衝機能を有し、収容物１１の破損を防ぎ、高価な薬液を安全に輸送し保管することができる。摘み部６６は、側面２０のくぼみ２１に設けられ、長い楕円形であるため基端部付近が細くて容易に曲がるため、外箱１２の上蓋片１１４に押されて収容されるさいに折れ目が付かず、上蓋片１１４を開いたときに再び開口端部の外側に突出し、容易に摘まむことができる。摘み部６６は長いため、摘み部６６を保持しながら作業を行いやすい。中箱１４はＰＰ等で作られ、製造や組立が容易であり、しかも透明であるため収容物１１のラベルなどを視認しやすく、誤認することがなく、作業も容易となる。収容物１１は、保持片３６，７２で保持されて中箱１４の各側面から離間し、また上底片５６で保持されて底蓋片９０から離間しているため、緩衝効果が高く収容物１１を保護することができ、高価な薬液のでも安全に運搬や保管を行うことができる。外箱１２に入れた状態でも、外箱１２から出した状態でも、高い緩衝機能を有し、安全である。
【００３９】
次に、この発明の第二実施形態について図５、図６に基づいて説明する。なお、ここで、上記実施形態と同様の部材は同様の符号を付して説明を省略する。この実施形態の中箱付き包装用箱１４０は、第一実施形態と同様の外箱１２の中に、収容物１１を保持する中箱１４２が設けられている。
【００４０】
中箱１４２は、適度な柔軟性を有する透明な合成樹脂シートを打ち抜いて形成された内箱形成片１４４を組み立てて形成されている。図６は、内箱形成片１４４を表面から見た展開図であり、内箱形成片１４４は、側面１４６，１４８，１５０が互いに平行に連接して設けられ、各々折罫線１５２，１５４で区切られている。
【００４１】
中央に位置する側面１４８は、側面同士の連接方向に対して直角な方向の一端部に、矩形の保持片１５６が折罫線１５８で区切られて設けられている。保持片１５６は、折罫線１５８に対して平行方向の長さは側面１４８より僅かに短く、折罫線１５８に対して直角方向の長さは側面１４８より少し長い。折罫線１５８の両端部に位置する角部は、側面１４８と保持片１５６の折罫線１５８の両端部に位置する部分で面取りされている。保持片１５６には、収容物１１の側面が嵌合される打ち抜き部１６０が設けられている。打ち抜き部１６０は、保持片１５６の中心よりもわずかに折罫線１５８に近づいた位置に設けられ、折罫線１５８に対して直角方向に長い変形した矩形に形成され、折罫線１５８に近い端部よりも反対側の端部の方が短く、折罫線１５８から離れるにつれて幅が細くなっている。
【００４２】
保持片１５６の、折罫線１５８と反対側の端部には、矩形の重ね片１６２が折罫線１６４で区切られて設けられている。折罫線１６４は２本の切断線が切り残し部を介して並んで設けられている。重ね片１６２は、折罫線１６４に対して平行方向の長さは保持片１５６と同じであり、折罫線１６４に対して直角方向の長さは、内箱形成片１４４の組立状態で開口部を閉鎖する大きさよりもわずかに小さい。
【００４３】
側面１４６の、側面１４８の折罫線１５８に隣接する端部１４６ａは、折罫線１５２から少し離れた部分からくぼみ１６６が形成され、くぼみ１６６は折罫線１５２とは反対側の側縁部に連通されている。側面１４６の、端部１４６ａと反対側の端部は、側面１４８の、折罫線１５８と反対側の端部１４８ａよりも外側に突出する脚片１６８が一体に設けられている。脚片１６８の先端部は、端部１４８ａに対して平行な直線で形成されている。
【００４４】
側面１５０の、側面１４８の折罫線１５８に隣接する端部１５０ａは、折罫線１５４から少し離れた部分からくぼみ１７０が形成され、くぼみ１７０は折罫線１５４とは反対側の側縁部に連通されている。くぼみ１７０の底部には、摘み部１７２が一体に設けられている。摘み部１７２は、くぼみ１７０から外側に突出して形成された楕円形状である。側面１５０の、端部１５０ａと反対側の端部は、側面１４８の端部１４８ａよりも外側に突出する脚片１７４が一体に設けられている。脚片１７４の先端部は、端部１４８ａに対して平行な直線で形成されている。
【００４５】
側面１４８の端部１４８ａには、矩形の上底片１７６が折罫線１７８で区切られて設けられている。上底片１７６は、内箱形成片１４４の組立状態で開口部を閉鎖する大きさの矩形に形成されている。
【００４６】
上底片１７６の、折罫線１７８と反対側の端部には、側面１４８と線対称の形状の側面１８０が折罫線１８２で区切られて設けられている。側面１８０の、側面１４８の折罫線１５２の延長線上に位置する端部には、側面１４６と線対称形状の糊付片１８４が折罫線１８６で区切られて設けられている。糊付片１８４には、くぼみ１６６と同じ形状のくぼみ１８８と、脚片１６８と同じ形状の脚片１９０が設けられている。側面１８０の、折罫線１８６と反対側の端部には、側面１５０と線対称の形状の糊付片１９２が折罫線１９４で区切られて設けられている。糊付片１９２には、くぼみ１７０と同じ形状のくぼみ１９６と、脚片１７４と同じ形状の脚片１９８が設けられている。ただし、摘み部１７２は設けられていない。
【００４７】
側面１８０の、折罫線１８２と反対側の端部には、保持片１５６と線対称の形状の保持片２００が折罫線２０２で区切られて設けられている。保持片２００には打ち抜き部２０４が設けられ、折罫線２０２と反対側の端部には重ね片１６２と線対称の形状の重ね片２０６が折罫線２０８で区切られて設けられている。
【００４８】
次に、この実施形態の中箱１４２の組立方法の一例について説明する。なお、ここでは図６が中箱１４２の内箱形成片１４４の表面を見たものであり、内箱形成片１４４の表面が凸になる折り方を正折り、そして裏面が凸になる折り方を逆折りと称する。
【００４９】
まず、重ね片１６２，２０６の裏面に糊２１０，２１２を各々塗布する。そして折罫線１５８を正折りし、重ね片１６２は糊２１０により上底片１７６の裏面に糊付けされる。次に折罫線２０２を正折りし、重ね片２０６は糊２１２により、上底片１７６に重ねられた重ね片１６２の表面に糊付けされる。これにより、内箱形成片１４４は折り畳み状態となり、中箱１４２はこの折り畳み状態で出荷される。
【００５０】
次に、収容物１１を収容し包装する工場等において、糊付片１８４，糊付片１９２の裏面に糊２１４，２１６を各々塗布する。そして、上底片１７６、重ね片１６２，２０６が重ねられて３重となった底面に収容物１１を置き、折罫線１７８，１５２，１５４を９０°に正折りし、側面１４６，１４８，１５０をコの字形に組み立てて収容物１１の側面の３方向を覆う。この時、保持片１５６は、折罫線１６４で逆折りされて立ち上がる。保持片１５６は側面１４８より長いため、折罫線１６４が内側に位置するとともに保持片１５６が内側に撓み、収容物１１に向かって湾曲し、打ち抜き部１６０に収容物１１の側面の一部が嵌合される。
【００５１】
次に、折罫線１８２，１８６，１９４を９０°に正折りし、糊付片１８４、側面１８０、糊付片１９２をコの字形に組み立てて収容物１１の反対側の３方向を覆い、糊２１４で糊付片１８４の裏面を側面１４６の表面に糊付けし、糊２１６で糊付片１９２の裏面を側面１５０の表面に糊付けし、四角筒体に組み立てる。保持片２００も、保持片１５６と同様に、折罫線２０８で逆折りされて立ち上がり、折罫線２０８が内側に位置するとともに保持片２００が内側に撓み、収容物１１に向かって湾曲し、打ち抜き部２０４に収容物１１の側面の反対側の一部が嵌合される。これにより図５に示すように組み立てが完了する。保持片１５６，２００は、収容物１１の側面に押されて弾性変形し、収容物１１を両側から付勢して挟持する。保持片１５６，２００の打ち抜き部１６０，２０４に収容物１１の側面の一部が嵌合され、がたつきを防ぐ。収容物１１の底部は、内底である上底片１７６に保持されて緩衝的に収容される。摘み部１７２は、収容物１１の側方に位置し収容物１１の高さよりも上方に突出する。
【００５２】
収容物１１を入れた中箱１４２は、第１実施形態と同じ外箱１２に入れて包装する。第１実施形態と同様に、外箱１２と側面１５０との間に空隙１３０が形成され、取扱説明書などを入れる。そして、折罫線１２６，１２８でフラップ１２２，１２４を正折りし、その後折罫線１１６で上蓋片１１４を正折りし、さらに折罫線１２０を正折りして差込片１１８を側面１０８の内側に差し込み、閉鎖して中箱付き包装用箱１４０の包装が完了する。摘み部１７２は、フラップ１２４と上蓋片１１４に押されて曲がり、フラップ１２４の裏面に重ねられて収納される。収容物１１は、中箱付き包装用箱１４０に緩衝的に保持され、外箱１２に安全に収容される。
【００５３】
中箱付き包装用箱１４０に収容された収容物１１の薬剤を使用するときは、上記実施の形態と同じ方法で行う。また、上記実施の形態と同様の効果を有するものである。さらに、中箱付き包装用箱１４０の中箱１４２は、機械による自動包装が可能であり、作業効率が良い。
【００５４】
なお、この発明の中箱付き包装用箱は、上記実施形態に限定されるものではなく、中箱の側面や上底面、保持片の配置や連接する順番は自由に変更可能であり、組み立てる順番も適宜変更可能である。中箱の大きさや、側面、保持片、打ち抜き部等の形状は、収容物に合わせて適宜変更可能である。中箱の材料は、ＰＰ以外でもよい。外箱も、各部材の形状や、底部と上蓋片の構造等、自由に設計することができる。摘み部の形状や数も自由に変更可能であり、簡単に折り曲げられ、容易に保持して中箱を外箱から引き出して移動させることができるものであればよく、折罫線等が設けられてもよい。上底片は、緩衝機能が不要な場合は外箱の底に一致する構造でもよい。
【符号の説明】
【００５５】
１０，１４０  中箱付き包装用箱
１１  収容物
１２  外箱
１４  中箱
１６，１４４  内箱形成片
１８，２０，２２，２４，１４６，１４８，１５０，１８０  側面
２６，１８４，１９２  糊付片
３６，７２，１５６，２００  保持片
４０，７６，１６０，２０４  打ち抜き部
５６，１７６  上底片
５４，５８  立ち上がり片
６６，１７２  摘み部
１６８，１７４，１９０，１９８  脚片
【図１】
0006595226.tif 000002
【図２】
0006595226.tif 000003
【図３】
0006595226.tif 000004
【図４】
0006595226.tif 000005
【図５】
0006595226.tif 000006
【図６】
0006595226.tif 000007